(57)【要約】【課題】犬の排便時には飼い主が手を触れることなく凹凸のある地面にも安定的に載置でき、本体に犬の糞を収容した袋状のナプキンを掛着することにより本体のみを把持して携行でき、外観がスマートで懐中電灯としても役立つ犬用携帯トイレを開発する。【解決手段】本体１に袋状のナプキン２を嵌脱自在に装着し、安定脚８１〜８３の作用により凹凸のある地面にも安定的に載置でき、突起部５１〜５５にナプキン２の締結紐を掛着でき、光源６３の光軸を僅かに上方に傾斜させて懐中電灯としても障害なく使用し得るスマートな外観の犬用携帯トイレを提供する。【選択図】        図１
0003102002.tif 000002
【実用新案登録請求の範囲】
【請求項１】
本体と、締結紐を有する袋状のナプキンより構成され、
上記本体の略長円形の平板状の基板の上面前方に、上記ナプキンの下部を嵌合させる嵌合用凹部が刻設されており、
該嵌合用凹部の周囲の上記基板上に上記ナプキンの締結紐を掛止させるための切欠部を有する複数の突起部が突設されており、
上記基板の後方に電池を電源とする光源を収納する光源部を有し、
上記光源の光軸を上記本体の基板に対して僅かに上方に傾斜させ、
上記光源部の上面にハンドルが突設され、
上記基板の底面には複数の安定脚が突設されており、
該複数の安定脚のうち少なくとも１個には上記ナプキンの締結紐を係止させるための切欠部が刻設されており、
上記ナプキンの底部を上記基板の嵌合用凹部に嵌合させ、上記締結紐を緩め上記ナプキンを展開した状態で犬の糞を採取し、
採取後は上記締結紐を緊締して上記ナプキンを上記基板の嵌合用凹部より抜脱し、
上記締結紐を上記複数の突起部の切欠部に係止し又は上記突起部の切欠部と上記安定脚のうちの１個に刻設された切欠部に係止して、
上記ナプキンが上記基板に掛着された状態とすることができる、
ことを特徴とする犬用携帯トイレ。
【考案の詳細な説明】
【技術分野】
【０００１】
本考案は、犬用携帯トイレに関するものであり、さらに詳しくは、本体と、締結紐を有する袋状のナプキンより構成され、本体に夜間の犬の糞の採取時の便のために光源部を有し、本体の基板に上記ナプキンの底部を固定できる嵌合用凹部を有し、本体基板底面に凹凸のある地面の上に載置しても安定性を確保できる複数の安定脚を有し、かつ、犬の糞の採取後に上記ナプキンの締結紐を係止して上記ナプキンを本体の基板に掛着した状態で運搬できるように本体の基板に上記ナプキンの締結紐を係止させる複数の突起部を有する犬用携帯トイレに関するものである。
【背景技術】
【０００２】
従来の犬用携帯トイレで、光源付きのものは、例えば、下記特許文献１に開示されている「犬の糞受け」、あるいは特許文献２に示す「犬用携帯糞取り器」が挙げられる。特許文献１の「犬の糞受け」は、柄の先端に輪を取り付け、該輪にポリエチレン袋を取り付けたもので、柄の握り部にペンライトを装着できる構成のものである。また、特許文献２の「犬用携帯糞取り器」も略同様の構成である。
【特許文献１】実願平６−２７３０
【特許文献２】特願２００１−２７４７８０
【考案の開示】
【考案が解決しようとする課題】
【０００３】
特許文献１の「犬の糞受け」、あるいは特許文献２の「犬用携帯糞取り器」は、ともに、その外観が捕虫網を思わせるもので、即物的な印象が強く、特に婦人が愛犬を散歩させる場合等には携行に抵抗を感じるという問題がある。また、両者はともに、使用時には人間が柄（特許文献１）あるいは棒状把手（特許文献２）を手で保持し続けねばならず、その期間中中腰の姿勢を強いられるので、特に高齢者などには使用しづらいものである。
【０００４】
また、手で保持し続けねばならないという特性から、手が犬の尻部分に近いと非衛生的であるということになるので、柄（特許文献１）あるいは棒状把手（特許文献２）がある程度の長さを有する構成とならざるを得ず、結果として、特許文献１の「犬の糞受け」、あるいは特許文献２の「犬用携帯糞取り器」は長大なものとなってしまう。したがって、特許文献１の「犬の糞受け」、あるいは特許文献２の「犬用携帯糞取り器」は携行に便なものとは言い難く、また上記のように外観が即物的とならざるを得ないのもこのような理由によるところが大きいと思われる。
【０００５】
さらに、犬の糞の採取後には、上記「犬の糞受け」あるいは「犬用携帯糞取り器」と一緒に犬の糞入りの「ポリエチレン袋」（特許文献１）あるいは「他の袋に入れた犬の糞入りの袋体」（特許文献２）を手に提げて持ち帰らねばならないが、犬の糞が入った「ポリエチレン袋」や「他の袋に入れた袋体」を直接手で持つのは気持ち良いものではないし、また、片手では犬の鎖を握らねばならないので、空いたもう一方の手で「犬の糞受け」と「ポリエチレン袋」の両者、あるいは「犬用携帯糞取り器」と「他の袋に入れた犬の糞入りの袋体」の両者を持たねばならず、持ち方によっては「ポリエチレン袋」あるいは「他の袋に入れた犬の糞入りの袋体」が脚に触れる可能性もあり、煩わしくかつ気分の良いものではない。
【０００６】
また、特許文献１の「犬の糞受け」も特許文献２の「犬用携帯糞取り器」も、光源としてペンライトを使用するものであるが、該ペンライトは、特許文献１の「犬の糞受け」においても特許文献２の「犬用携帯糞取り器」においてもいわば「オプション」で、常時「犬の糞受け」あるいは「犬用携帯糞取り器」に装着されているわけではなく、必要と感じたときに装着するという構成である。しかし、このようなオプション部品は、携行を忘れて肝心なときに役立たないという可能性もあり、かつ「犬の糞受け」あるいは「犬用携帯糞取り器」に装着されていないときには別に携行しなければならないという煩わしさもある。
【０００７】
また、夜間の犬の散歩においては、明るい道ばかりであれば問題はないが、暗い道を通る場合、やはり光源は必要である。その際、特許文献１の「犬の糞受け」も特許文献２の「犬用携帯糞取り器」も、ペンライトを柄（特許文献１）あるいは棒状把手（特許文献２）に装着した状態では、輪とポリエチレン袋（特許文献１）あるいは環状枠体と袋体（特許文献２）が邪魔になり、前方を充分に照明することができない。したがって、片手で犬の鎖を把持し、空いた手で「犬の糞受け」あるいは「犬用携帯糞取り器」を持ちながらペンライトも同時に持って前方を照明するという不自然かつ不安定な状態を強いられることとなる。
【０００８】
したがって、本考案においては、以下の課題を解決すべき課題として設定した。
＜課題１＞
外観がスマートで、携行していてもそれが犬用形態トイレであるという即物的な印象を与えず、婦人が犬の散歩時に携行しても抵抗のないような外観の犬用携帯トイレを開発する。
【０００９】
＜課題２＞
犬の排便時には地面に載置でき、人間が保持することなく使用できる犬用携帯トイレを開発する。これにより、犬の糞を採取する部分と人間が把持する部分を隔離するための「柄」に相当する構成が不必要となり、外観をコンパクトにでき、携行にも便利であるし、捕虫網を思わせるような外観ではなく、婦人にも抵抗のない外観を付与し得る余地が生ずる。また、地面に載置する際に、凹凸のある地面に対しても安定的に載置できるような構成とする。
【００１０】
＜課題３＞
光源を、「オプション」ではなく、全体の構成の中に不可欠な構成要素として取り入れることにより、光源の携行を忘れるといった危惧、あるいは、本体と光源を別途に把持携行しなければならない煩わしさを解消する。また、犬の糞の採取時以外には、光源をそのまま暗い道での照明源として使用できるように、つまり懐中電灯としても障害なくそのまま利用できるように構成する。
【００１１】
＜課題４＞
犬の糞を採取した袋状のナプキンを、犬用携帯トイレの本体と一緒に片手で把持するという煩わしさ、不安定さを解消するため、犬の糞を採取した袋状ナプキンを犬用携帯トイレの本体に掛着できるように構成する。
【課題を解決するための手段】
【００１２】
本考案は、上記課題を解決するための手段として、下記の構成の犬用携帯トイレを提供するものである。
すなわち、
本体と、締結紐を有する袋状のナプキンより構成され、
上記本体の略長円形の平板状の基板の上面前方に、上記ナプキンの下部を嵌合させる嵌合用凹部が刻設されており、
該嵌合用凹部の周囲の上記基板上に上記ナプキンの締結紐を掛止させるための切欠部を有する複数の突起部が突設されており、
上記基板の後方に電池を電源とする光源を収納する光源部を有し、
上記光源の光軸を上記本体の基板に対して僅かに上方に傾斜させ、
上記光源部の上面にハンドルが突設され、
上記基板の底面には複数の安定脚が突設されており、
該複数の安定脚のうち少なくとも１個には上記ナプキンの締結紐を係止させるための切欠部が刻設されており、
上記ナプキンの底部を上記基板の嵌合用凹部に嵌合させ、上記締結紐を緩め上記ナプキンを展開した状態で犬の糞を採取し、
採取後は上記締結紐を緊締して上記ナプキンを上記基板の嵌合用凹部より抜脱し、
上記締結紐を上記複数の突起部の切欠部に係止し又は上記突起部の切欠部と上記安定脚のうちの１個に刻設された切欠部に係止して、
上記ナプキンが上記基板に掛着された状態とすることができる、
ことを特徴とする犬用携帯トイレ。
【考案の効果】
【００１３】
本考案の犬用携帯トイレは、犬の排便時には地面に載置でき、人間が把持する必要がない。そのため、人間は犬の排便時に離れて観察するのみで良く、中腰の姿勢を強いられることもなく、高齢者にも負担が少ないものである。さらに、複数の安定脚を有しているので、地面に載置する際にも安定性が良く、多少の凹凸のある地面や傾斜した地面にも安定的に載置でき、安定的に犬の糞を採取し得るものである。
【００１４】
また、本考案の犬用携帯トイレは、犬の排便時に地面に載置できるので、犬の尻部分と人間の手を隔離するための「柄」に相当する構成を設ける必要がない。ために、全体を極めてコンパクトに構成でき、携行に便利である。さらに、外観も捕虫網を思わせる即物的なものではなく、スマートで一見すると犬用携帯トイレとは判別し難い形態とすることができるので、婦人が犬の散歩時に携行する際にも全く抵抗なく持ち運べるものである。
【００１５】
また、本考案の犬用携帯トイレは、光源が「オプション」ではなく、全体の構成の中に不可欠な要素として組み込まれているので、夜間に光源の携行を忘れるといった危惧、あるいは、本体と光源を別に携行しなければならないといった煩わしさが解消された。また、光源の前方には殆ど障害物がなく、本体の基板に対して光源の光軸を僅かに上方に傾斜させているので、光源が充分に前方を照明することが可能である。したがって、犬の糞の採取時以外の時においても、本体をそのまま懐中電灯として使用することが可能である。
【００１６】
また、本考案の犬用携帯トイレは、犬の糞の採取後には、犬の糞が収容された袋状のナプキンの締結紐を本体の基板に突設された複数の突起部に係止し、あるいは上記突起部と本体の基板の底面に突設された安定脚のうちの１個に係止して、上記ナプキンを本体の基板に掛着された状態で運搬できるので、人間は上記ナプキンを直接把持しなくても良いから衛生的である。かつ、片手に犬の鎖を把持し、片手には本考案の犬用携帯トイレのハンドルを把持した状態で歩行できるので、本考案の犬用携帯トイレの本体と上記ナプキンの両者を片手で把持する必要がなく、両者を安定的に携行運搬でき、かつ両者を片手で把持した場合のように上記ナプキンが脚に触れることもなく衛生的で気分も良い。
【考案を実施するための最良の形態】
【００１７】
本考案を実施するための最良の形態を、以下に図面を参照しながら詳細に説明する。
【実施例１】
【００１８】
＜実施例１の構成＞
図１〜図６に示すように、実施例１の犬用携帯トイレは、本体１と本体１に嵌脱自在の袋状のナプキン２から構成されている。本体１は、略長円形の平板状の基板３と、基板３の上面前方に刻設された嵌合用凹部４、基板３の上面後方に基板３と一体に突設固着された光源部６、及び光源部６の上面に突設固着されたハンドル７より構成されており、嵌合用凹部４の周囲の基板３上面には５個の突起部５１、５２、５３、５４、５５が基板３と一体に突設固着されている。また、図３ｂに明らかなように、基板３の底面には半円形状の安定脚８１、８２、８３が基板３と一体に突設固着されている。なお、６８は電池ケース６７（図３ａ参照）の蓋部である。上記本体１を構成する各部は、合成樹脂、金属、木等で製作することができる。
【００１９】
基板３の上面前方に刻設された嵌合用凹部４は前方が尖った丸みのある３角形状で、図２ｂに見るように基板３の厚みの半分をやや超えるくらいの深さに刻設されており、内周壁面４１には水平に溝状凹部４２が刻設されている。図１に見るように、突起部５１は基板３の上面最前端に突設されており、形状は略きのこ型で、他の突起部５２、５３、５４、５５よりやや大きく、前部に切欠部５１ａを、後部に切欠部５１ｂを有している。突起部５２、５３は嵌合用凹部４の前部周囲の基板３の上面に左右対称に突設され、その形状寸法は等しく、形状は略きのこ型で、突起部５２は後部に切欠部５２ａを、突起部５３は後部に切欠部５３ａを有している。突起部５４、５５は嵌合用凹部４の中間部周囲の基板３の上面に左右対称に突設され、その形状寸法は等しく、形状は略きのこ型で、突起部５４は後部に切欠部５４ａを、突起部５５は後部に切欠部５５ａを有している。
【００２０】
光源部６は、図１に見るとおり、基板３の上面後部に基板３と一体に突設固着されており、山型のカバー６１で被覆され、前面は平面状のレンズ装着面６１ａとなり、レンズ装着面６１ａの中央に穿設された円孔６１ｂにはレンズ６２が嵌着されている。また、カバー６１の上面にはハンドル７が突設固着されている。光源部６の内部には、図３ａに見るように、レンズ６２の背後に電球である光源６３が装着されている。６７は電池を収容する電池ケースであり、６５はハンドル７の前方に突設されたプッシュ式のスイッチ釦、６４はスイッチ機構、６６はスイッチ釦６５とスイッチ機構６４を連結するアームである。
【００２１】
光源６３、電池ケース６７、スイッチ機構６４は図示しない配線により結線されていて、電池ケース６７に図示しない電池を収納しスイッチ釦６５を押し込むとスイッチ機構６４が接続状態となり、光源６３が点灯するように構成される。スイッチ釦６５は押し込まれるとアーム６６周囲の図示しないスプリングにより上方に付勢され、図示しない係止機構により押し込まれた状態で保持され、再度スイッチ釦６５を押すことにより上記図示しない係止機構から解除され、上記図示しないスプリングにより当初の位置に戻り、スイッチ機構６４の接続が切断されて光源６３が消灯する。
【００２２】
光源６３の光軸Ｘは、図３ａに見るように、基板３の上面を水平面Ｐとした場合、水平面Ｐより微小角αだけ上方に傾斜している。微小角αは、３°〜１５°程度の範囲の角度を取り得るが、５°から１０°程度が最適となろう。これに合わせて、レンズ装着面６１ａも垂直線から同様の角度だけ後方に傾斜している。なお、６８は前述のように電池ケース６７の蓋部であり、図３ｂに見るように基板３の底面後部中央に設けられている。
【００２３】
図３ｂに見るように、基板３の底面には、前部に安定脚８１が、後部の左右の対称となる位置に安定脚８２、８３が基板３と一体に突設固着されている。安定脚８１は半球状で、図３ａに見るように、前部上方が切欠されて切欠部８１ａとなっている。安定脚８２、８３は同径同大で、切欠部を持たず略完全な半球状である。
【００２４】
ナプキン２は、図４ａに見るようにナプキン本体２１とナプキン本体２１の底部２１ｂの外周に接着された環状の嵌合体２２から構成されている。ナプキン本体２１は水密処理を施された軟質紙で、多くの襞を有しており、通常は図４ａに見るように袋状であるが、その口部２１ａを展開すると、図６に示すように略平面状となるよう構成されている。口部２１ａには襞を点綴するように紙製の締結紐２３が挿通されており、締結紐２３の両方の先端部は平行状態に揃えられて、紙製の留具２４，２５，２６の内部を貫通し、両至端には結び目２３ａ，２３ｂが形成されている。
【００２５】
紙製の留具２４は図５に示すように断面が瓢箪型で、長手方向に沿って円孔２４ａ、２４ｂが穿設されており、円孔２４ａ、２４ｂに締結紐２３，２３が挿通されている。留具２４は円孔２４ａ、２４ｂと締結紐２３，２３の摩擦力により締結紐２３，２３の一定位置に係止されているが、締結紐２３，２３の延長方向に留具２４を強く引くあるいは押すことにより、留具２４を締結紐２３，２３に沿って摺動させることができるよう構成されている。留具２５、２６も同様の構成である。
【００２６】
嵌合体２２は、図４ｂに見るように、前方が尖った丸みのある３角形状の紙製のリングで、図１の嵌合用凹部４に間隙なく嵌合される寸法形状となっており、嵌合体２２の外周壁面２２ａの中央部分には水平に環状凸部２２ｂが外周壁面２２ａと一体に突設され、外周壁面２２ａを囲繞している。環状凸部２２ｂは、図７に見るように本体１の嵌合用凹部４の内周壁面４１に刻設された溝状凹部４２に嵌合され、ナプキン２を嵌合用凹部４に仮固定する役割を果たしている。また、嵌合体２２の内周壁面２２ｃは、ナプキン本体２１の底部２１ｂの外周に接着剤２２ｄにより接着されている。
【００２７】
＜実施例１の作用＞  
実施例１の犬用携帯トイレは、犬を散歩している時にはハンドル７（図１参照）を片手で把持して携行する。夜間等周囲が暗い場合にはスイッチ釦６５を押し込んで光源６３を点灯させ、懐中電灯として使用することもできる。その際、図３ａに見るように、光源６３の光軸Ｘが水平面Ｐから微小角αだけ上に傾斜しているので、本体１の前部が障害とならずに前方を照明することが可能である。
【００２８】
次に、犬が便意を催した際には、図７に示すようにナプキン２のナプキン本体２１の底部２１ｂを嵌合体２２を介して本体１の嵌合用凹部４に嵌合させ、図６に示すように締結紐２３を緩めてナプキン本体２１の口部２１ａを展開して本体１の前部全体を掩覆する。次に、図８に示すように、平面状に展開されたナプキン本体２１が犬Ｄの尻部分の真下に位置するように本体１の位置を調節して本体１を地面Ｇ上に載置する。この際、３個の安定脚８１、８２、８３の作用により、凹凸のある地面Ｇ上であっても、本体１は安定的に載置できるものである。また、犬が排便箇所を探して徘徊している間は、図示しない飼い主は本体１を持って犬Ｄの後を追跡しなければならないものの、一旦犬Ｄが排便場所を確定すれば、図示しない飼い主は、本体１を適切な位置に載置してハンドル７から手を離し、側にて観察しているのみで良い。
【００２９】
犬Ｄが排便を完了すれば、図示しない飼い主は留具２４を手に持ってナプキン２の締結紐２３を引いて口部２１ａを挟搾させ、犬Ｄの糞（図示せず）をナプキン本体２１内に封入する。次に、本体１の嵌合用凹部４から嵌合体２２（図４ａ参照）を抜脱することにより、ナプキン２全体を本体１から分離する。次に、図９に示すように、ナプキン２の留具２６を締結紐２３の至端近傍にまで摺動させ、留具２６を本体１の突起部５１の切欠部５１ｂに当接させて突起部５１に係止させ、さらに留具２５を摺動させて突起部５１の切欠部５１ａに当接させる。これにより、ナプキン２は締結紐２３、留具２６，２５、突起部５１を介して本体１に掛着された状態となるので、飼い主は手Ｈにハンドル７を把持するのみで本体１と犬の糞（図示せず）を収容したナプキン２を携行することができる。
【００３０】
図１０ａ〜図１０ｄに、本体１にナプキン２の締結紐２３を掛着する際の様々な方法を示す。図１０ａは突起部５２の切欠部５２ａと突起部５３の切欠部５３ａに締結紐２３を係止し、留具２５を突起部５１の切欠部５１ａに当接させて掛着する方法を示す。図１０ｂは突起部５４の切欠部５４ａと突起部５５の切欠部５５ａに締結紐２３を係止し、留具２５を突起部５１の切欠部５１ａに当接させて掛着する方法を示す。図１０ｃは突起部５４の切欠部５４ａと突起部５５の切欠部５５ａに締結紐２３を係止し、留具２５を基板３の底面前部に突設された安定脚８１の切欠部８１ａに当接させて掛着する方法を示す。図１０ｄは突起部５２の切欠部５２ａと突起部５３の切欠部５３ａに締結紐２３を係止し、留具２５を安定脚８１の切欠部８１ａに当接させて掛着する方法を示すものである。
【図面の簡単な説明】
【００３１】
【図１】本考案の１実施例の本体の外観斜視図である。
【図２】（ａ）本考案の１実施例の本体の平面図である。（ｂ）本考案の１実施例の本体の正面図である。
【図３】（ａ）本考案の１実施例の本体の右側面図である。（ｂ）本考案の１実施例の本体の底面図である。
【図４】（ａ）本考案の１実施例のナプキンの外観斜視図である。（ｂ）本考案の１実施例のナプキンの嵌合体の外観斜視図である。
【図５】本考案の１実施例のナプキンの締結紐と留具の外観斜視図である。
【図６】本考案の１実施例の作用を説明する説明図である。
【図７】図６のＡ−Ａ断面図である。
【図８】本考案の１実施例の作用を説明する説明図である。
【図９】本考案の１実施例の作用を説明する説明図である。
【図１０】（ａ）本考案の１実施例の作用を説明する説明図である。（ｂ）本考案の１実施例の作用を説明する説明図である。（ｃ）本考案の１実施例の作用を説明する説明図である。（ｄ）本考案の１実施例の作用を説明する説明図である。
【符号の説明】
【００３２】
１      本体
２      ナプキン
２１    ナプキン本体
２１ａ  口部
２２    嵌合体
２２ａ  外周壁面
２２ｂ  環状凸部
２２ｃ  内周壁面
２２ｄ  接着剤
２３    締結紐
２３ａ  結び目
２３ｂ  結び目
２４    留具
２４ａ  円孔
２４ｂ  円孔
２５    留具
２６    留具
３      基板
４      嵌合用凹部
４１    内周壁面
４２    溝状凹部
５１    突起部
５１ａ  切欠部
５１ｂ  切欠部
５２    突起部
５２ａ  切欠部
５３    突起部
５３ａ  切欠部
５４    突起部
５４ａ  切欠部
５５    突起部
５５ａ  切欠部
６      光源部
６１    カバー
６１ａ  レンズ装着面
６１ｂ  円孔
６２    レンズ
６３    光源
６４    スイッチ機構
６５    スイッチ釦
６６    アーム
６７    電池ケース
６８    蓋部
７      ハンドル
８１    安定脚
８１ａ  切欠部
８２    安定脚
８３    安定脚
Ｄ      犬
Ｇ      地面
Ｈ      手
Ｐ      水平面
Ｘ      光軸
α      微小角
【図１】
0003102002.tif 000003
【図２】
0003102002.tif 000004
【図３】
0003102002.tif 000005
【図４】
0003102002.tif 000006
【図５】
0003102002.tif 000007
【図６】
0003102002.tif 000008
【図７】
0003102002.tif 000009
【図８】
0003102002.tif 000010
【図９】
0003102002.tif 000011
【図１０】
0003102002.tif 000012